(57)【要約】【課題】フード本体の上方空間を覆う幕板の容易な取り付けを可能とする換気扇を得ること。【解決手段】前幕板３は、前平面部である平面部３ｃと、平面部３ｃの側方端にて立てられた側縁部である縦フランジ部３ａと、平面部３ｃの上方端にて立てられた上縁部である横フランジ部３ｂとを含む。横幕板２は、側平面部である平面部２ｃと、平面部２ｃの前方端にて立てられた前側縁部である縦フランジ部２ａ１とを含む。換気扇１００は、縦フランジ部２ａ１に形成され、前方へ向けて立てられた爪部１０と、縦フランジ部３ａに形成され、爪部１０が差し込まれて掛け留められる掛け留め部１８と、横フランジ部３ｂのうち掛け留め部１８の上方に形成され、上方から下方へ向かうにしたがい切り欠きの幅が縮小されて、掛け留め部１８に繋げられている切り欠き部と、を備える。【選択図】図９
2019045016.tif 000002
【特許請求の範囲】
【請求項１】
フード本体と、
前記フード本体を通じて排気流を取り込み、取り込まれた前記排気流を排出する排気送風機と、
前方へ向けられた平面をなす前平面部と、前記前平面部の側方端にて後方へ立てられた側縁部と、前記前平面部の上方端にて後方へ立てられた上縁部とを含み、前記フード本体の上方空間の前方を覆う前幕板と、
前記排気送風機から離れる方向である第１の側方へ向けられた平面をなす側平面部と、前記側平面部の前方端にて、前記第１の側方とは逆の第２の側方へ立てられた前側縁部とを含み、前記フード本体の上方空間の側方を覆う横幕板と、
前記横幕板の前記前側縁部に形成され、前方へ向けて立てられた爪部と、
前記前幕板の前記側縁部に形成され、前記爪部が差し込まれて掛け留められる掛け留め部と、
前記前幕板の前記上縁部のうち前記掛け留め部の上方に形成され、上方から下方へ向かうにしたがい切り欠きの幅が縮小されて、前記掛け留め部に繋げられている切り欠き部と、
を備えることを特徴とする換気扇。
【請求項２】
前記切り欠き部は、前記前幕板の前記上縁部のうち、前記前平面部に平行な部分に設けられていることを特徴とする請求項１に記載の換気扇。
【請求項３】
前記掛け留め部は、前記前幕板の前記側縁部のうち、前記前平面部に平行な部分に設けられていることを特徴とする請求項２に記載の換気扇。
【請求項４】
前記横幕板の形状は、前記横幕板の上下方向における中心に対して対称な形状であることを特徴とする請求項１から３のいずれか１つに記載の換気扇。
【発明の詳細な説明】
【技術分野】
【０００１】
本発明は、フード本体の上方空間を覆う幕板を備える換気扇に関する。
【背景技術】
【０００２】
加熱調理台から立ち上る油煙および蒸気を含む空気をフード本体にて捕集して、室外へ続くダクトへ排気流を送る換気扇に、フード本体の上方空間を覆う幕板が備えられることがある。フード本体の上方空間に露出された排気送風機と、排気送風機に接続されたダクトとを幕板によって覆い隠すことで、換気扇の意匠性の向上が図られている。
【０００３】
特許文献１には、フード本体の上方空間の側方を覆う横幕板をフード本体と壁面とにネジ止めしてから、フード本体の上方空間の前方を覆う前幕板を横幕板に固定する技術が開示されている。特許文献１の技術では、フード本体の上面に取り付けられた金具に前幕板の下縁部を固定するとともに、前幕板の上縁部に取り付けられた金具に横幕板の挟持部位を差し込んで、横幕板と前幕板とが接続される。
【先行技術文献】
【特許文献】
【０００４】
【特許文献１】特許第４７９６８４４号公報
【発明の概要】
【発明が解決しようとする課題】
【０００５】
特許文献１の技術では、横幕板がフード本体と壁面とにネジ止めされた後に、横幕板のうち前幕板との接続部分における傾きが安定しない場合があり得る。横幕板の傾きが安定しないことで、横幕板の挟持部位の位置と前幕板の金具の位置との間にずれが生じて、横幕板に前板幕を接続することが困難となる場合があり得る。このため、特許文献１の技術によると、幕板の取り付けが困難となる場合がある。
【０００６】
本発明は、上記に鑑みてなされたものであって、フード本体の上方空間を覆う幕板の容易な取り付けを可能とする換気扇を得ることを目的とする。
【課題を解決するための手段】
【０００７】
上述した課題を解決し、目的を達成するために、本発明にかかる換気扇は、フード本体と、フード本体を通じて排気流を取り込み、取り込まれた排気流を排出する排気送風機と、を備える。本発明にかかる換気扇は、前方へ向けられた平面をなす前平面部と、前平面部の側方端にて後方へ立てられた側縁部と、前平面部の上方端にて後方へ立てられた上縁部とを含み、フード本体の上方空間の前方を覆う前幕板と、排気送風機から離れる方向である第１の側方へ向けられた平面をなす側平面部と、側平面部の前方端にて、第１の側方とは逆の第２の側方へ立てられた前側縁部とを含み、フード本体の上方空間の側方を覆う横幕板と、を備える。本発明にかかる換気扇は、横幕板の前側縁部に形成され、前方へ向けて立てられた爪部と、前幕板の側縁部に形成され、爪部が差し込まれて掛け留められる掛け留め部と、前幕板の上縁部のうち掛け留め部の上方に形成され、上方から下方へ向かうにしたがい切り欠きの幅が縮小されて、掛け留め部に繋げられている切り欠き部と、を備える。
【発明の効果】
【０００８】
本発明によれば、フード本体の上方空間を覆う幕板の容易な取り付けが可能となるという効果を奏する。
【図面の簡単な説明】
【０００９】
【図１】本発明の実施の形態１にかかる換気扇の斜視図
【図２】図１に示す横幕板と前幕板とが取り外された換気扇の斜視図
【図３】図２に示す横幕板の斜視図
【図４】図３に示す掛け合わせ部への爪部の掛け合わせについて説明する図
【図５】図３に示すスライド嵌合部への突起部の嵌め込みについて説明する第１の図
【図６】図３に示すスライド嵌合部への突起部の嵌め込みについて説明する第２の図
【図７】図５に示すスライド嵌合部と突起部とを拡大して示す図
【図８】図５に示す横幕板の一部を拡大して示す図
【図９】図１に示す前幕板が仮固定される際における換気扇の斜視図
【図１０】図９に示す掛け留め部への爪部の掛け留めについて説明する第１の図
【図１１】図１０に示す前幕板を後方から見た場合の斜視図
【図１２】図９に示す掛け留め部への爪部の掛け留めについて説明する第２の図
【図１３】図９に示す掛け留め部への爪部の掛け留めについて説明する第３の図
【図１４】本発明の実施の形態２にかかる換気扇の斜視図
【図１５】図１４に示す横幕板と固定金具とを示す斜視図
【図１６】図１４に示す縦フランジ部への固定金具の固定について説明する図
【図１７】実施の形態２にかかる換気扇の正面図
【図１８】実施の形態２の変形例にかかる換気扇の正面図
【発明を実施するための形態】
【００１０】
以下に、本発明の実施の形態にかかる換気扇を図面に基づいて詳細に説明する。なお、この実施の形態によりこの発明が限定されるものではない。
【００１１】
実施の形態１．
図１は、本発明の実施の形態１にかかる換気扇１００の斜視図である。図２は、図１に示す横幕板２と前幕板３とが取り外された換気扇１００の斜視図である。図２では、前幕板３の図示を省略している。換気扇１００は、台所の壁面に設置される。
【００１２】
換気扇１００は、フード本体１と、フード本体１を通じて排気流を取り込み、取り込まれた排気流を排出する排気送風機４と、を備える。フード本体１は、フード本体１の下方に設置されている加熱調理台から立ち上る油煙および蒸気を含む空気を捕集する。図１および図２では、加熱調理台の図示を省略している。
【００１３】
排気送風機４は、フード本体１の上に設置されている。排気送風機４の外殻は、互いに平行な２つの側面６を含む箱体をなしている。図２では、２つの側面６のうちの１つを示している。排気送風機４は、ダクト接続部５に接続されたダクトを介して室外へ排気流を送り出す。図１および図２では、ダクトの図示を省略している。
【００１４】
換気扇１００は、フード本体１の上方空間の前方を覆う幕板である前幕板３と、フード本体１の上方空間の側方を覆う幕板である２枚の横幕板２とを備える。横幕板２は、フード本体１の上方空間の左側方と右側方とに設けられている。
【００１５】
仮に、フード本体１の上方空間にある排気送風機４、ダクト接続部５およびダクトが換気扇１００の外観に表れていると、換気扇１００の意匠性を悪化させることがあり得る。換気扇１００は、フード本体１の上方空間に露出された排気送風機４、ダクト接続部５およびダクトを横幕板２と前幕板３とにより覆い隠すことで、意匠性の向上が図られている。
【００１６】
横幕板２および前幕板３の色調は、フード本体１の外観の色調と同じとしても良い。これにより、換気扇１００は、換気扇１００全体の外観の調和をとることができる。横幕板２および前幕板３の色調は、換気扇１００の周囲の壁あるいは吊り戸棚といった設置物の色調と同じとしても良い。これにより、換気扇１００は、換気扇１００の周囲の設置物との外観の調和をとることができる。
【００１７】
次に、横幕板２について説明する。図３は、図２に示す横幕板２の斜視図である。横幕板２は、長方形の平面部２ｃを備える金属板である。側平面部である平面部２ｃは、第１の側方へ向けられた平面をなす。第１の側方は、排気送風機４から離れる方向である。右側部の横幕板２において、平面部２ｃは、第１の側方である右方向へ向けられた平面をなす。左側部の横幕板２において、平面部２ｃは、第１の側方である左方向へ向けられた平面をなす。
【００１８】
縦フランジ部２ａ１，２ａ２と横フランジ部２ｂ１，２ｂ２とは、横幕板２のうち平面部２ｃから折り曲げられている部分である。前側縁部である縦フランジ部２ａ１は、平面部２ｃの外周における２つの長辺のうちの一方に沿って設けられている。後側縁部である縦フランジ部２ａ２は、２つの長辺のうちの他方に沿って設けられている。縦フランジ部２ａ１は、横幕板２のうち前方へ向けられた外縁に形成されている。縦フランジ部２ａ１は、平面部２ｃの前方端にて、第１の側方とは逆の第２の側方へ立てられた部分であって、平面部２ｃから垂直に折り曲げられている部分である。縦フランジ部２ａ２は、横幕板２のうち後方へ向けられた外縁に形成されている。縦フランジ部２ａ２は、平面部２ｃの後方端にて第２の側方へ立てられた部分であって、平面部２ｃから垂直に折り曲げられている部分と、当該部分からさらに垂直に折り曲げられて平面部２ｃに平行な部分とを含む。右側部の横幕板２において、縦フランジ部２ａ１，２ａ２は、第２の側方である左方向へ立てられている。左側部の横幕板２において、縦フランジ部２ａ１，２ａ２は、第２の側方である右方向へ立てられている。
【００１９】
上縁部である横フランジ部２ｂ１は、平面部２ｃの外周における長方形の２つの短辺のうちの一方に沿って設けられている。下縁部である横フランジ部２ｂ２は、２つの短辺のうちの他方に沿って設けられている。横フランジ部２ｂ１は、横幕板２のうち上方へ向けられた外縁に形成されている。横フランジ部２ｂ２は、横幕板２のうち下方へ向けられた外縁に形成されている。横フランジ部２ｂ１，２ｂ２は、平面部２ｃから垂直に折り曲げられている部分である。
【００２０】
縦フランジ部２ａ１には、前方へ向けて垂直に立てられた２つの爪部１０が設けられている。爪部１０は、横幕板２の上部と下部とに設けられている。爪部１０は、縦フランジ部２ａ１から垂直に折り曲げられることにより形成されている。
【００２１】
縦フランジ部２ａ２には、側方へ向けて斜めに立てられた１つの爪部１１が設けられている。爪部１１は、上下方向における横幕板２の中心の位置に設けられている。爪部１１は、縦フランジ部２ａ２のうち平面部２ｃに平行な部分から斜めに折り曲げられることにより形成されている。
【００２２】
横フランジ部２ｂ１には、２つのスライド嵌合部１２が設けられている。２つのスライド嵌合部１２は、横フランジ部２ｂ１に形成された切り欠き部分である。横フランジ部２ｂ２には、２つのスライド嵌合部１２が設けられている。２つのスライド嵌合部１２は、横フランジ部２ｂ２に形成された切り欠き部分である。
【００２３】
横幕板２の形状は、横幕板２の上下方向における中心である仮想の中心線Ｎに対して対称な形状である。横幕板２の上部の爪部１０と下部の爪部１０とは、中心線Ｎに対称な位置に配置されている。横幕板２の上部の２つのスライド嵌合部１２と下部の２つのスライド嵌合部１２とは、中心線Ｎに対称な位置に配置されている。爪部１１は、中心線Ｎ上に配置されている。
【００２４】
このように横幕板２の形状を上下方向において対称な形状とすることで、同じ形状の２つの横幕板２を互いに上下反転させて、左側部と右側部とに設置することができる。これにより、換気扇１００は、左側部の横幕板２と右側部の横幕板２とに、共通の部品である横幕板２を使用することができる。なお、横幕板２は、中心線Ｎ上の１つの爪部１１に代えて、中心線Ｎに対称な位置に配置された２つの爪部１１を備えていても良い。
【００２５】
図２に示す側面６のうち後側外縁には、縦フランジ部７が設けられている。掛け合わせ部１３は、縦フランジ部７に設けられている。フード本体１の上面から掛け合わせ部１３の位置までの高さは、横幕板２の下端である横フランジ部２ｂ２から爪部１１の位置までの高さと一致している。このように、フード本体１上での横幕板２の設置の際に爪部１１を掛け合わせ部１３へ掛け合わせ可能となるように、掛け合わせ部１３の位置が設定されている。なお、横幕板２に２つの爪部１１が設けられている場合、２つの爪部１１のうちの一方が掛け合わせ部１３へ掛け合わせ可能となるように、掛け合わせ部１３の位置が設定されている。
【００２６】
ここで、横幕板２の仮固定における爪部１１の掛け合わせについて説明する。横幕板２の仮固定とは、ネジ止めによる横幕板２の固定より前に、排気送風機４とフード本体１とに横幕板２が支持された状態とすることを指す。横幕板２は、仮固定の際に、掛け合わせ部１３への爪部１１の掛け合わせにより、排気送風機４に支持される。
【００２７】
図４は、図３に示す掛け合わせ部１３への爪部１１の掛け合わせについて説明する図である。縦フランジ部７は、側面６から垂直に立てられた部分７ｂと、当該部分７ｂから垂直に折り曲げられて側面６に平行な部分７ａとを含む。掛け合わせ部１３は、縦フランジ部７の部分７ａに設けられている。掛け合わせ部１３は、部分７ａに形成された矩形の切り欠き部分である。
【００２８】
爪部１１は、前方から掛け合わせ部１３へ挿入される。爪部１１のうち縦フランジ部２ａ２からの立ち上がり部分を掛け合わせ部１３の切り欠き後方部分へ到達させることで、爪部１１は掛け合わせ部１３に掛け合わせられる。爪部１１が掛け合わせ部１３に掛け合わせられることで、横幕板２は、排気送風機４に仮固定される。左側部の横幕板２と右側部の横幕板２とは、掛け合わせ部１３への爪部１１の掛け合わせにより排気送風機４に仮固定される。
【００２９】
図２に示すフード本体１の上面の側縁部には、突起部１４が設けられている。フード本体１上での横幕板２の設置の際に、突起部１４は、スライド嵌合部１２へ嵌め込まれる。なお、図２では、フード本体１の左側縁部に設けられた突起部１４と右側縁部に設けられた突起部１４とのうち、右側縁部に設けられた突起部１４を示している。右側縁部には、２つの突起部１４が設けられている。左側縁部には、右側縁部と同様に２つの突起部１４が設けられている。
【００３０】
次に、横幕板２の仮固定におけるスライド嵌合部１２への突起部１４の嵌め込みについて説明する。図５は、図３に示すスライド嵌合部１２への突起部１４の嵌め込みについて説明する第１の図である。図６は、図３に示すスライド嵌合部１２への突起部１４の嵌め込みについて説明する第２の図である。
【００３１】
図５は、フード本体１のうち突起部１４を含む一部分と横幕板２とを上方から見た状態を示している。図５では、横フランジ部２ｂ２の紙面手前側に位置している横フランジ部２ｂ１と、フード本体１上に設けられている排気送風機４との図示を省略している。横フランジ部２ｂ１は、横フランジ部２ｂ２と同様に形成されている。図６は、フード本体１のうち突起部１４を含む一部分と、横幕板２のうちスライド嵌合部１２を含む一部分との斜視構成を示している。
【００３２】
図６に示すように、突起部１４は、フード本体１の上面から上方へ突出している円柱体である。突起部１４に対してスライド嵌合部１２をスライドさせるように横幕板２を移動させることにより、スライド嵌合部１２へ突起部１４を嵌め込ませる。
【００３３】
スライド嵌合部１２は、ガイド部１２ａと、突起挿入部１２ｂとを備える。ガイド部１２ａは、横フランジ部２ｂ２の側方端２ｄから斜めに切り込まれた部分である。ガイド部１２ａは、突起挿入部１２ｂへ向けて突起部１４を入り込ませるように、スライド嵌合部１２の移動をガイドする。
【００３４】
突起挿入部１２ｂは、ガイド部１２ａから続けて前方へ切り込まれた部分である。突起挿入部１２ｂの前方端は、スライド嵌合部１２へ挿入された突起部１４の到達位置となる。横フランジ部２ｂ２のうち側方端２ｄと突起挿入部１２ｂとの間の部分１２ｃは、ガイド部１２ａが形成されている後方へ向けて先端を延伸させた形状をなしている。部分１２ｃの後方先端とガイド部１２ａとの間が、スライド嵌合部１２における突起部１４の入り口となる。
【００３５】
横フランジ部２ｂ２の２つのスライド嵌合部１２には、それぞれ突起部１４が同時に嵌め込まれる。突起挿入部１２ｂの前方端に突起部１４を到達させた状態にて、横幕板２はフード本体１上にて位置決めされる。
【００３６】
２つのスライド嵌合部１２において、横フランジ部２ｂ２の側方端２ｄに対するガイド部１２ａの傾きは、縦フランジ部２ａ２から折り曲げられている爪部１１の傾きと同じである。２つのスライド嵌合部１２へ突起部１４が嵌め込まれるように横幕板２を移動させることにより、スライド嵌合部１２への突起部１４の嵌め込みと同時に、爪部１１が掛け合わせ部１３に掛け合わせられる。このように、突起部１４に対してスライド嵌合部１２をスライドさせるように横幕板２を移動させることで、横幕板２の仮固定を容易に行うことができる。
【００３７】
突起挿入部１２ｂの前方端に突起部１４が到達した状態において、部分１２ｃの後方先端の位置は、前後方向における突起部１４の中心位置よりも後方となる。これにより、横幕板２の仮固定の作業の際に、横幕板２が排気送風機４側とは逆の方向へ傾いた場合において、横フランジ部２ｂ２の部分１２ｃが突起部１４に掛かることで、横幕板２の倒れを防止することができる。
【００３８】
なお、スライド嵌合部１２の形状は、図５および図６に示す形状に限られない。スライド嵌合部１２は、横フランジ部２ｂ２にて突起部１４を嵌め込み可能に切り欠かれたものであれば良い。
【００３９】
突起部１４は、フード本体１の上面を下方から貫いているネジであっても良い。突起部１４は、フード本体１の上面に設けられた風路形成板を固定するためのネジであっても良い。風路形成板は、フード本体１の上面に形成された開口の一部を塞ぎ、フード本体１の内部における風路を形成する。
【００４０】
図７は、図５に示すスライド嵌合部１２と突起部１４とを拡大して示す図である。図７において、突起部１４は、フード本体１の上面あるいは風路形成板に形成された孔１４ａを下方から上方へ貫いている。孔１４ａは、バーリング加工、あるいはその他の穴あけ加工により形成された加工穴である。
【００４１】
左右方向における突起挿入部１２ｂの幅φＡは、孔１４ａの径φＢと同一であって、φＡ＝φＢの関係が成り立つ。孔１４ａの径φＢと同じである幅φＡの突起挿入部１２ｂへ突起部１４が嵌め込まれることで、仮固定された横幕板２の左右方向におけるがたつきを抑制することができる。なお、幅φＡと径φＢとが同一であるとは、仮固定された横幕板２のがたつきを抑制し得る程度の差がある場合を含むものとする。
【００４２】
仮固定された横幕板２の左右方向におけるがたつきを抑制可能とすることで、横幕板２の次に前幕板３を仮固定する際における爪部１０の位置と、前幕板３のうち爪部１０が掛け留められる掛け留め部の位置とのずれを抑制することができる。前幕板３の掛け留め部については後述する。また、横幕板２の左右方向におけるがたつきを抑制可能とすることで、左右方向におけるフード本体１の側面からの横幕板２のずれを抑制できる。これにより、換気扇１００は、フード本体１の側面と横幕板２とのずれによって起こり得る意匠性の低下を低減できる。
【００４３】
図８は、図５に示す横幕板２の一部を拡大して示す図である。縦フランジ部２ａ２に対する爪部１１の傾斜角αは、横フランジ部２ｂ２の側方端２ｄに対するガイド部１２ａの傾斜角βに等しく、α＝βの関係が成り立つ。なお、傾斜角αと傾斜角βとは、０度より大きくかつ９０度より小さい角度であるものとする。
【００４４】
爪部１１の傾斜角αとガイド部１２ａの傾斜角βとが等しいことで、突起部１４に対してガイド部１２ａをスライドさせるように横幕板２を移動させることで、スライド嵌合部１２への突起部１４の嵌め込みとともに、爪部１１が掛け合わせ部１３に掛け合わせられる。これにより、横幕板２の仮固定を容易に行うことができる。
【００４５】
傾斜方向におけるガイド部１２ａの幅ＬＡは、ガイド部１２ａと側方端２ｄとの境界と、ガイド部１２ａと突起挿入部１２ｂとの境界との間隔である。傾斜方向における爪部１１の幅ＬＢは、爪部１１のうち縦フランジ部２ａ２からの立ち上がり部分と、爪部１１の先端との間隔である。幅ＬＢは、幅ＬＡより小さく、ＬＢ＜ＬＡの関係が成り立つ。
【００４６】
爪部１１の幅ＬＢをガイド部１２ａの幅ＬＡより小さくしたことで、突起部１４に対するガイド部１２ａのスライドを開始した時点では掛け合わせ部１３への爪部１１の掛け合わせを施工者が気にせずとも、ガイド部１２ａのスライドを進行させるうちに掛け合わせ部１３へ爪部１１を掛け合わせることができる。これにより、横幕板２の仮固定を容易に行うことができる。爪部１１の掛け合わせとスライド嵌合部１２での嵌め込みにより横幕板２を仮固定することで、ネジ止めによる横幕板２が固定される前における横幕板２の落下を抑制することができる。
【００４７】
次に、前幕板３の仮固定について説明する。前幕板３の仮固定とは、横幕板２へのネジ止めによる前幕板３の固定より前に、横幕板２に前幕板３が支持された状態とすることを指す。仮固定された横幕板２は、前幕板３の仮固定より前に、ネジ止めによってフード本体１に固定される。
【００４８】
図９は、図１に示す前幕板３が仮固定される際における換気扇１００の斜視図である。仮固定された横幕板２は、フード本体１の内部からフード本体１の上面あるいは風路形成板を貫いたネジ１５によって、フード本体１に固定される。
【００４９】
前幕板３は、矩形の平面部３ｃを備える金属板である。前平面部である平面部３ｃは、前方へ向けられた平面をなす。縦フランジ部３ａと横フランジ部３ｂ，３ｄとは、前幕板３のうち平面部３ｃから折り曲げられている部分である。側縁部である縦フランジ部３ａは、平面部３ｃの側方端にて後方へ立てられた部分であって、前幕板３のうち左側方へ向けられた外縁と右側方へ向けられた外縁とに形成されている。上縁部である横フランジ部３ｂは、平面部３ｃの上方端にて後方へ立てられた部分であって、前幕板３のうち上方へ向けられた外縁に形成されている。下縁部である横フランジ部３ｄは、前幕板３のうち下方へ向けられた外縁に形成されている。図９に示す平面部３ｃの形状は、左右の２辺を長辺、かつ上下の２辺を短辺とする長方形である。平面部３ｃの形状は、上下の２辺を長辺、かつ左右の２辺を短辺とする長方形であっても良く、正方形であっても良い。
【００５０】
縦フランジ部３ａには、掛け留め部１８が設けられている。掛け留め部１８には、爪部１０が差し込まれて掛け留められる。掛け留め部１８は、前幕板３の左側縁部である縦フランジ部３ａと右側縁部である縦フランジ部３ａとに設けられている。
【００５１】
前幕板３の下端である横フランジ部３ｄから掛け留め部１８の位置までの高さは、横幕板２の下端である横フランジ部２ｂ２から爪部１０の位置までの高さと一致している。このように、前幕板３の仮固定の際に爪部１０は掛け留め部１８に掛け留められる。爪部１０が掛け留め部１８に掛け留められることで、前幕板３は、横幕板２に仮固定される。前幕板３のうち左側縁部である縦フランジ部３ａは、左側部の横幕板２に仮固定される。前幕板３のうち右側縁部である縦フランジ部３ａは、右側部の横幕板２に仮固定される。
【００５２】
次に、前幕板３の仮固定における掛け留め部１８への爪部１０の掛け留めについて説明する。図１０は、図９に示す掛け留め部１８への爪部１０の掛け留めについて説明する第１の図である。図１０には、前幕板３のうち右側縁部である縦フランジ部３ａに設けられた掛け留め部１８を含む一部分と、横幕板２のうち当該掛け留め部１８に掛け留められる爪部１０を含む一部分とを示している。前幕板３の左側縁部である縦フランジ部３ａに設けられた掛け留め部１８は、右側縁部である縦フランジ部３ａに設けられた掛け留め部１８と同様に形成されている。
【００５３】
前幕板３の側縁部である縦フランジ部３ａは、平面部３ｃから後方へ垂直に折り曲げられている部分３ａ１と、当該部分３ａ１から垂直に折り曲げられて平面部３ｃに平行な部分３ａ２とを含む。掛け留め部１８は、部分３ａ２に形成された切り欠き部分である。爪部１０の下方から上方へ向けて掛け留め部１８を移動させていき、掛け留め部１８へ爪部１０を差し込ませることにより、爪部１０は掛け留め部１８に掛け留められる。
【００５４】
図１１は、図１０に示す前幕板３を後方から見た場合の斜視図である。前幕板３の上縁部である横フランジ部３ｂは、平面部３ｃから後方へ垂直に折り曲げられている部分３ｂ１と、当該部分３ｂ１から垂直に折り曲げられて平面部３ｃに平行な部分３ｂ２とを含む。
【００５５】
掛け留め部１８は、ガイド部１８ａと、爪挿入部１８ｂとを備える。ガイド部１８ａは、部分３ａ２の上端において、部分３ａ１側から斜め下方へ切り込まれた部分である。ガイド部１８ａは、爪挿入部１８ｂへ向けて爪部１０を差し込ませるように、掛け留め部１８の移動をガイドする。爪挿入部１８ｂは、ガイド部１８ａから続けて下方へ切り込まれた部分である。爪挿入部１８ｂの下方端は、掛け留め部１８へ挿入された爪部１０の到達位置となる。
【００５６】
横フランジ部３ｂには、切り欠き部２０が形成されている。切り欠き部２０は、部分３ｂ２のうち縦フランジ部３ａの部分３ａ１側の側方端であって、掛け留め部１８の上方に形成されている。切り欠き部２０は、部分３ｂ２の下方端３ｅから上方へ向けて斜めに切り込まれた部分であるガイド部２１を備える。ガイド部２１は、爪挿入部１８ｂへ向けて爪部１０を入り込ませるように、切り欠き部２０と掛け留め部１８との移動をガイドする。
【００５７】
ガイド部２１と部分３ｂ２の下方端３ｅとの境界の位置は、掛け留め部１８の鉛直上方の位置である。ガイド部２１は、かかる境界から、ガイド部２１は上方へ向かうにしたがい、部分３ａ１側とは逆側へ向かうように傾けられている。切り欠き部２０は、上方から下方へ向かうにしたがい、左右方向における切り欠きの幅が縮小するように形成されている。
【００５８】
図１２は、図９に示す掛け留め部１８への爪部１０の掛け留めについて説明する第２の図である。図１３は、図９に示す掛け留め部１８への爪部１０の掛け留めについて説明する第３の図である。爪部１０の下斜め前方から、前幕板３のうち横フランジ部３ｂと縦フランジ部３ａとを含む角部を近づけていくことで、切り欠き部２０へ爪部１０が挿入される。切り欠き部２０へ爪部１０が挿入されてから前幕板３を上方へ移動させる際に、爪部１０がガイド部２１に当接することで、ガイド部２１は、爪挿入部１８ｂへ向けて爪部１０を入り込ませるように、切り欠き部２０と掛け留め部１８との移動をガイドする。爪挿入部１８ｂへ爪部１０を差し込ませることにより、爪部１０は掛け留め部１８に掛け留められる。
【００５９】
左側縁部である縦フランジ部３ａの掛け留め部１８への爪部１０の掛け留めと同時に、右側縁部である縦フランジ部３ａの掛け留め部１８へ爪部１０が掛け留められる。爪挿入部１８ｂの下端に爪部１０を到達させた状態にて、前幕板３は、フード本体１上にて位置決めされる。
【００６０】
横幕板２が固定された状態において、横幕板２の位置は、掛け合わせ部１３への爪部１１の掛け合わせと、スライド嵌合部１２への突起部１４の嵌め込みと、ネジ１５によるフード本体１へのネジ止めとによって定められる。横幕板２における爪部１０の位置は、爪部１１の掛け合わせと、突起部１４の嵌め込みと、フード本体１へのネジ止めとが施されている各位置から離れている。このため、横幕板２が固定された状態において、フード本体１の側面に対して横幕板２が傾いた状態となる場合がある。掛け合わせ、嵌め込み、およびネジ止めの状態次第によって横幕板２の傾きが変化し得ることで、左右方向における爪部１０の位置が安定しない場合があり得る。
【００６１】
前幕板３の仮固定の際に、フード本体１の側面に対して、横幕板２が排気送風機４から離れる向きである外向きに傾いている場合、施工者は、横幕板２を排気送風機４へ近づける内向きに押すことにより、フード本体１の側面に対する横幕板２の傾きを比較的容易に改善することが可能である。一方、フード本体１の側面に対して横幕板２が内向きに傾いている場合において、施工者は、横幕板２に対して排気送風機４が設けられている側である内側へ手を差し入れることができず、内側から外向きに横幕板２を押すことができない。また、横幕板２には、横幕板２を外向きに引っ張るために掴める部分が施されていない。このため、横幕板２が内向きに傾いている場合には、フード本体１の側面に対する横幕板２の傾きを改善することが困難となる。このため、前幕板３の仮固定の際における爪部１０の位置が安定しない場合があり得る。
【００６２】
実施の形態１では、左右方向における切り欠きの幅が上方ほど拡大されている切り欠き部２０が前幕板３の横フランジ部３ｂに設けられていることで、左右方向における爪部１０の位置が安定しない場合であっても、比較的容易に爪部１０を切り欠き部２０へ挿入させることができる。左右方向を長手方向とする横フランジ部３ｂに切り欠き部２０を設けたことで、切り欠き部２０は、左右方向における切り欠きの幅を大きく確保することができる。
【００６３】
切り欠き部２０に爪部１０が挿入されてから、前幕板３を引き続き上方へ移動させることで、上方から下方へ向かうにしたがい切り欠きの幅が縮小された切り欠き部２０における爪部１０の位置は、爪挿入部１８ｂへ向かうように規制される。爪挿入部１８ｂへ爪部１０を向かわせて、爪挿入部１８ｂの下方端に爪部１０を到達させることにより、爪部１０は掛け留め部１８に掛け留められる。
【００６４】
施工者は、爪部１０の位置が安定しない場合であっても、爪部１０の位置に掛け留め部１８の位置を合致させられるか否かを気にせず、前幕板３を上方へ移動させることで掛け留め部１８に爪部１０を掛け留めることができる。換気扇１００は、前幕板３に切り欠き部２０が設けられていることで、前幕板３の仮固定を容易に行うことができる。また、前幕板３の仮固定の作業における前幕板３の落下を防止することができる。
【００６５】
仮固定された前幕板３は、図９に示すように、前幕板３の下縁部である横フランジ部３ｄに設けられている孔１７を通されたネジ１６によって、フード本体１に固定される。以上により、横幕板２と前幕板３とが固定される。
【００６６】
実施の形態１にかかる換気扇１００は、外観に表れない内部に設けられた部品により横幕板２と前幕板３とが固定されることで、意匠性の向上が図られている。また、実施の形態１では、横幕板２の後方の壁面への横幕板２の固定が不要であることから、壁面裏に下地材が設けられていない場合でも、横幕板２を設置することができる。また、下地材の位置の特定、壁面に対し横幕板２を垂直に設置するための作業、あるいは横幕板２の設置のための下地材の新たな施工が不要である。これにより、横幕板２を容易に設置することができる。
【００６７】
実施の形態１にかかる換気扇１００の左右方向における寸法は、標準的な寸法である６００ｍｍとすることができる。実施の形態１では、かかる寸法の換気扇１００において、排気送風機４に取り付けられた縦フランジ部７に直接横幕板２を仮固定することができる。なお、実施の形態１では、横幕板２のうち爪部１１が設けられている縦フランジ部２ａ２と、掛け合わせ部１３が設けられている縦フランジ部７とを互いに隣接可能であれば良く、換気扇１００の寸法は６００ｍｍ以外であっても良い。
【００６８】
実施の形態１によると、前幕板３の横フランジ部３ｂには、上方から下方へ向かうにしたがい切り欠きの幅が縮小された切り欠き部２０が設けられている。切り欠き部２０における爪部１０の位置を規制できることで、施工者は、掛け留め部１８へ爪部１０を容易に掛け留めることができる。これにより、換気扇１００は、フード本体１の上方空間を覆う幕板の容易な取り付けが可能となるという効果を奏する。
【００６９】
実施の形態２．
図１４は、本発明の実施の形態２にかかる換気扇１０１の斜視図である。図１４には、横幕板２と前幕板３が取り外された換気扇１０１を示している。実施の形態２にかかる換気扇１０１は、排気送風機４と横幕板２との間に設けられた固定金具３０を備える。上記の実施の形態１と同一の部分には同一の符号を付し、重複する説明を省略する。
【００７０】
換気扇１０１には、２つの固定金具３０が設けられている。一方の固定金具３０は、左側部の横幕板２と排気送風機４との間に設けられている。他方の固定金具３０は、右側部の横幕板２と排気送風機４との間に設けられている。
【００７１】
実施の形態１にかかる換気扇１００では、横幕板２のうち爪部１１が設けられている縦フランジ部２ａ２と、掛け合わせ部１３が設けられている縦フランジ部７とが互いに隣接している。これに対し、実施の形態２にかかる換気扇１０１では、横幕板２の縦フランジ部２ａ２と縦フランジ部７とが間隔を設けて配置される。実施の形態２では、横幕板２の仮固定において、縦フランジ部７に取り付けられた固定金具３０の掛け合わせ部に爪部１１が掛け合わせられる。固定金具３０は、排気送風機４における横幕板２の支持に用いられる。
【００７２】
図１５は、図１４に示す横幕板２と固定金具３０とを示す斜視図である。図１６は、図１４に示す縦フランジ部７への固定金具３０の固定について説明する図である。図１５には、図１４に示す２つの横幕板２のうち、右側部の横幕板２を示している。図１６には、図１４に示す２つの固定金具３０のうち、右側部の横幕板２と排気送風機４との間の固定金具３０を示している。
【００７３】
固定金具３０は、長方形の平面部３０ｃを備える金属板である。第１フランジ部３０ａと第２フランジ部３０ｂとは、固定金具３０のうち平面部３０ｃから垂直に折り曲げられている部分である。長方形の長辺の長さＬ１は、換気扇１０１における横幕板２の縦フランジ部２ａ２と縦フランジ部７との間隔に合わせて設定されている。
【００７４】
第１フランジ部３０ａは、平面部３０ｃの外周における２つの短辺に沿ってそれぞれ設けられている。各第１フランジ部３０ａには、掛け合わせ部３１が設けられている。各掛け合わせ部３１の上下両隣には、それぞれ孔３３が設けられている。
【００７５】
第２フランジ部３０ｂは、平面部３０ｃの外周における２つの長辺に沿ってそれぞれ設けられている。各第２フランジ部３０ｂには、掛け合わせ部３１が設けられている。各掛け合わせ部３１は、第２フランジ部３０ｂのうち長辺の中心位置以外の位置、すなわち、長辺の中心位置と一方の第１フランジ部３０ａとの間の位置に形成されている。第２フランジ部３０ｂの掛け合わせ部３１の形状は、第１フランジ部３０ａの掛け合わせ部３１の形状と同じである。各第２フランジ部３０ｂの掛け合わせ部３１の左右両隣には、第１フランジ部３０ａと同様に孔３３が設けられている。
【００７６】
縦フランジ部７側の第１フランジ部３０ａの両隣の孔３３には、ネジ３２が通される。第１フランジ部３０ａと縦フランジ部７の部分７ａとがネジ３２によって共締めされることにより、固定金具３０は、縦フランジ部７に固定される。横幕板２側の第１フランジ部３０ａの掛け合わせ部３１には、横幕板２の爪部１１が掛け合わせられる。
【００７７】
左側部の横幕板２と排気送風機４との間の固定金具３０は、右側部の横幕板２と排気送風機４との間の固定金具３０と同様に配置される。換気扇１０１は、共通の部品である固定金具３０を使用して、右側部の横幕板２の仮固定と左側部の横幕板２の仮固定とを行うことができる。
【００７８】
固定金具３０が縦フランジ部７へ固定されている状態において、フード本体１の上面から掛け合わせ部３１の位置までの高さは、横幕板２の下端である横フランジ部２ｂ２から爪部１１の位置までの高さと一致している。横幕板２は、仮固定の際に、掛け合わせ部３１への爪部１１の掛け合わせにより、固定金具３０を介して排気送風機４に支持される。
【００７９】
実施の形態１と同様に、図５に示す突起部１４に対してガイド部１２ａをスライドさせるように横幕板２を移動させることで、スライド嵌合部１２への突起部１４の嵌め込みとともに、爪部１１が掛け合わせ部３１に掛け合わせられる。これにより、横幕板２の仮固定を容易に行うことができる。また、実施の形態２においても、前幕板３は、実施の形態１と同様に、横幕板２に仮固定される。実施の形態２においても、換気扇１０１の施工者は、実施の形態１と同様に、前幕板３の仮固定を容易に行うことができる。
【００８０】
図１７は、実施の形態２にかかる換気扇１０１の正面図である。図１７には、前幕板３が取り外された状態における換気扇１０１を示している。実施の形態２において、フード本体１の左右方向における寸法Ｗ１は、７５０ｍｍであるものとする。左側部の横幕板２と右側部の横幕板２とは、フード本体１の側面に合わせて配置される。固定金具３０の長辺の長さＬ１は、かかる横幕板２と縦フランジ部７との間隔に合わせて設定される。
【００８１】
図１８は、実施の形態２の変形例にかかる換気扇１０２の正面図である。図１７には、前幕板３が取り外された状態における換気扇１０２を示している。変形例において、フード本体１の左右方向における寸法Ｗ２は、９００ｍｍであるものとする。固定金具３０の短辺の長さＬ２は、かかる横幕板２と縦フランジ部７との間隔に合わせて設定される。なお、２つの縦フランジ部７と排気送風機４とが配置されている部分の左右方向における寸法は、図１７に示す換気扇１０１と図１８に示す換気扇１０２とにおいて同じであるものとする。
【００８２】
変形例にかかる換気扇１０２において、固定金具３０は、平面部３０ｃの長辺を上下方向、短辺を左右方向に合わせて配置されている。図１５に示す２つの第２フランジ部３０ｂのうちの一方は、図１６に示すネジ３２により縦フランジ部７へ固定される。２つの第２フランジ部３０ｂのうちの他方に設けられている掛け合わせ部３１へ、横幕板２の爪部１１が掛け合わせられる。
【００８３】
固定金具３０の第１フランジ部３０ａと第２フランジ部３０ｂとに掛け合わせ部３１と孔３３とが設けられていることで、寸法Ｗ１の換気扇１０１と寸法Ｗ２の換気扇１０２とで、固定金具３０の縦横を互いに異ならせて固定金具３０を配置することができる。これにより、実施の形態２では、寸法Ｗ１の換気扇１０１と寸法Ｗ２の換気扇１０２とで、共通の部品である固定金具３０を使用することができる。寸法Ｗ１の換気扇１０１は、加熱調理台の左右両側のうちの片方に可燃性の構造物がある場合に適用しても良く、寸法Ｗ２の換気扇１０２は、加熱調理台の左右両側の双方に可燃性の構造物がある場合に適用しても良い。
【００８４】
なお、共通の部品である固定金具３０を使用可能な換気扇１０１，１０２の寸法Ｗ１，Ｗ２は、それぞれ７５０ｍｍ，９００ｍｍに限られない。寸法Ｗ１，Ｗ２は、Ｗ１＜Ｗ２を満足すれば良く、適宜設定可能である。
【００８５】
実施の形態２においても、換気扇１０１，１０２は、実施の形態１と同様に、フード本体１の上方空間を覆う幕板の容易な取り付けが可能となるという効果を奏する。
【００８６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８７】
１  フード本体、２  横幕板、２ａ１，２ａ２，３ａ，７  縦フランジ部、２ｂ１，２ｂ２，３ｂ，３ｄ  横フランジ部、２ｃ，３ｃ，３０ｃ  平面部、２ｄ  側方端、３  前幕板、３ｅ  下方端、４  排気送風機、５  ダクト接続部、６  側面、３ａ１，３ａ２，３ｂ１，３ｂ２，７ａ，７ｂ，１２ｃ  部分、１０，１１  爪部、１２  スライド嵌合部、１２ａ，１８ａ，２１  ガイド部、１２ｂ  突起挿入部、１３，３１  掛け合わせ部、１４  突起部、１４ａ，１７，３３  孔、１５，１６，３２  ネジ、１８  掛け留め部、１８ｂ  爪挿入部、２０  切り欠き部、３０  固定金具、３０ａ  第１フランジ部、３０ｂ  第２フランジ部、１００，１０１，１０２  換気扇。
【図１】
2019045016.tif 000003
【図２】
2019045016.tif 000004
【図３】
2019045016.tif 000005
【図４】
2019045016.tif 000006
【図５】
2019045016.tif 000007
【図６】
2019045016.tif 000008
【図７】
2019045016.tif 000009
【図８】
2019045016.tif 000010
【図９】
2019045016.tif 000011
【図１０】
2019045016.tif 000012
【図１１】
2019045016.tif 000013
【図１２】
2019045016.tif 000014
【図１３】
2019045016.tif 000015
【図１４】
2019045016.tif 000016
【図１５】
2019045016.tif 000017
【図１６】
2019045016.tif 000018
【図１７】
2019045016.tif 000019
【図１８】
2019045016.tif 000020